【事件の表示】
　平成１１年特許願第２６２９９５号「ゴムクローラ用芯金」拒絶査定不服審判事件〔平成１３年　３月２７日出願公開、特開２００１−　８０５５２号〕について、次のとおり審決する。
【結　論】
　本件審判の請求は、成り立たない。
【理　由】
１．手続の経緯、本願発明
　本願は、平成１１年９月１７日の出願であって、平成２１年２月２３日付けで拒絶査定がなされ、これに対して、平成２１年４月６日に拒絶査定不服審判の請求がなされるとともに、同日付けで手続補正がされたものであり、その後当審において、平成２２年３月３０日付けで拒絶の理由を通知したところ、平成２２年５月２６日付けで意見書が提出されたものである。
　本願の請求項に係る発明は、平成２０年１１月１２日付け手続補正書にて補正された特許請求の範囲の請求項１に記載された事項により特定される次のとおりのものであると認める。（以下「本願発明」という。）
　　　　　
　「【請求項１】　無端状のゴムクローラの長手方向に所定間隔を置いて埋設され幅方向に横架されるゴムクローラ用芯金において、芯金中央部のスプロケット係合部のみの埋設面上における接地面側に、複数のゴムクローラの幅方向に延びる突条を形成して凹凸面を構成し、さらに芯金の内周面側に転輪走行面を有することを特徴とするゴムクローラ用芯金。」
　　　　　
２．引用刊行物及びその記載事項
　当審の拒絶の理由に引用され、本願出願前に頒布された刊行物である特開平７−２１５２５０号公報（以下「引用例」という。）には、以下の事項が記載されている。
　　　　　
ａ：「【請求項４】　横置補強骨（２）は、係合孔（３）の左右両側で内周側に突出する突起（２Ａ）を一体に有し、この左右突起（２Ａ）は内周側が半円形断面で外周側に突出するリブ（２Ｃ）を有する連結部（２Ｄ）で互いに連結されていることを特徴とする請求項１記載のクローラ用弾性履帯。」（公報【特許請求の範囲】の【請求項４】）
　　　　　
ｂ：「【００１５】更に、側ラグ２０４の入込み部において前記第１・２張出頂面１０４Ａ−１，１０４Ａ−２は側ラグ２０４と反対方向に張出しているものにできることから、中央ラグ１０４と側ラグ２０４との入込み部での振動軽減を図りつつ排土性を確保する。請求項４に係る本発明では、横置補強骨２は、係合孔３の左右両側で内周側に突出する突起２Ａを一体に有し、この左右突起２Ａは内周側が半円形断面で外周側に突出するリブ２Ｃを有する連結部２Ｄで互いに連結されていることから、駆動輪７における歯部の係合孔３に対する係脱が確実・円滑となり、これによって走行性は良くなって、リブ２Ｃによってゴムとの接着面積が増大して補強骨２の剥離は確実に阻止する。」（公報段落【００１５】）
　　　　　
ｃ：「【００１７】無端帯状体１は図１でも示す如くゴム、合成ゴム、樹脂等のエラストマー（弾性材料）で全体が形成されており、その帯幅方向中央部には、帯幅方向に長くされた横置補強骨２が帯長手方向の間隔を有して埋設されて、該横置補強骨２間に、前述した駆動輪７における突起が係脱自在にされる係合孔３が形成されている。」（公報段落【００１７】）
　　　　　
ｄ：「【００１８】横置補強骨２は、鋳物、鋳造、板金等による金属材料を初め硬質樹脂等によって製作されており、その中央部には係合孔３の両側に位置して内周側に突出する突起２Ａを一体に有し、左右翼部２Ｂは板状に形成され、中央部は一対の突起２Ａを互いに連結する連結部２Ｄとされている。横置補強骨２の連結部２Ｄは、実質的に駆動輪７の突起が係脱して駆動力を発揮する部分であり、その連結部２Ｄは図３で示す如く内周側が半円形断面とされていることで駆動輪７の突起が円滑かつ確実に係脱自在とされ、外周側には略台形状のリブ２Ｃが形成されることによって、骨全体の軽量化を図りつつ弾性材料との接着面積が増大されて埋設部での剥離が防止されている。」（公報段落【００１８】）
　　　　　
ｅ：「【００２７】更に、側ラグ２０４の接地頂面２０４Ａは図１で示す如くラグ長手方向の中途までは中央ラグ１０４の頂面１０４Ａと同じ高さ位置にあり、中途から外方へは緩い上向傾斜面とされていて、これによって旋回性能が向上されている。なお、図１において、符号１１はまたぎ転輪９等の転動面であり、突起５と突起２Ａとの間にくびれ部１１Ａを介して帯長手方向に連続して膨出形成されている。」（公報段落【００２７】）
　　　　　
　上記記載事項及び図面の記載を総合すると、引用例には、次の発明（以下「引用発明」という。）が実質的に記載されていると認められる。
　「ゴム、合成ゴム、樹脂等のエラストマーで形成された無端帯状体１の帯長手方向の間隔を有して埋設され、帯幅方向に長くされ、金属材料、硬質樹脂等によって製作されている、クローラ用弾性覆帯に用いられる横置補強骨２において、
　横置補強骨２における中央部の連結部２Ｄの駆動輪７の突起が係脱する部分のみの、埋設されているところの外周側に、無端帯状体１の幅方向に延びるリブ２Ｃを形成し、
　さらに無端帯状体１の内周側に転輪９の転動面１１を有する、クローラ用弾性覆帯に用いられる横置補強骨。」
　　　　　
３．対比
　本願発明と引用発明とを対比すると、引用発明の「無端帯状体１」は、ゴム、合成ゴム、樹脂等のエラストマーで形成されているから、本願発明の「無端状のゴムクローラ」に相当する。
　以下、同様に、
　「横置補強骨２」は金属材料、硬質樹脂等によって製作されていることから「芯金」に、
　「帯長手方向の間隔を有して埋設」されることは「ゴムクローラの長手方向に所定間隔を置いて埋設」されることに、
　「帯幅方向に長くされ」ていることは「幅方向に横架され」ていることに、
　「横置補強骨２における中央部の連結部２Ｄの駆動輪７の突起が係脱する部分」は「芯金中央部のスプロケット係合部」に、
　「埋設されているところの外周側」は「埋設面上における接地面側」に、
　「無端帯状体１の幅方向に延びるリブ２Ｃ」は「ゴムクローラの幅方向に延びる突条」に、
　「クローラ用弾性覆帯」は「ゴムクローラ」に、
それぞれ相当する。
　　　　　
　以上のことから、本願発明と引用発明とは次の点で一致する。
 「無端状のゴムクローラの長手方向に所定間隔を置いて埋設され幅方向に横架されるゴムクローラ用芯金において、芯金中央部のスプロケット係合部のみの埋設面上における接地面側に、ゴムクローラの幅方向に延びる突条を形成、するゴムクローラ用芯金。」 
 　　　　　 
　一方で、両者は次の点で相違する。
＜相違点１＞ 
　突条に関し、本願発明では突条は「複数」で「凹凸面を構成」しているのに対し、引用発明では、突条（リブ２Ｃ）は１本である点。 
 　　　　　
＜相違点２＞ 
　転輪走行面に関し、本願発明では「芯金の内周面側に転輪走行面を有する」のに対し、引用発明では、無端帯状体（ゴムクローラ）の内周側が転動面（転輪走行面）となっている点。 
　　　　　
４．判断
　上記各相違点について検討する。 
＜相違点１＞について 
　ゴムクローラの芯金において、ゴムクローラの幅方向に延びる突条を複数本設けることは、当審の拒絶の理由に引用され、本願出願前に頒布された刊行物である実願昭５３−１４４０９４号（実開昭５５−６２４８２号）のマイクロフィルム （明細書第２ページ第１行〜第３ページ第１４行及び第４図を参照。）、同じく当審の拒絶の理由に引用され、本願出願前に頒布された刊行物である実願昭５０−４８１１７号（実開昭５１−１２７５３７号）のマイクロフィルム （明細書第１ページ第１４〜１８行及び第３〜４図を参照。）及び同じく当審の拒絶の理由に引用され、本願出願前に頒布された刊行物である特開平１０−７０４１号公報（図６〜７を参照。）に記載されているように、本願出願前に周知の技術である。
　また、上記のように突条を複数本設ければ、設けられた面は、おのずと「凹凸面」となる。 
　したがって、引用発明において、上記周知の技術を適用することにより、上記相違点１に係る事項とすることは、当業者が容易になし得たものである。
 　　　　　 
＜相違点２＞について 
　ゴムクローラの芯金において、芯金の内周面側に転輪走行面を設けることは、本願出願前に周知の技術である。
　例えば、前記特開平１０−７０４１号公報 には、第１例（段落【００１０】、図４〜７を参照。）として、芯金の内周面側に転輪走行部を設けたものが記載されており、当審の拒絶の理由に引用され、本願出願前に頒布された刊行物である実願昭６３−５４０３２号（実開平１−１５７０８７号）のマイクロフィルムには、第１〜１０図に、芯金の内周面側に幅広芯金部８（本願発明の「転輪走行面」に相当。）を設けたものが記載されており、同じく当審の拒絶の理由に引用され、本願出願前に頒布された刊行物である実願平５−６２６５０号（実開平７−４４７１８号）のＣＤ−ＲＯＭには、図１〜４に、芯金の内周面側に肩段部（本願発明の「転輪走行面」に相当。）を設けたものが記載されている。
　したがって、引用発明において、上記周知の技術を適用することにより、上記相違点２に係る事項とすることは、当業者が容易になし得たものである。
　　　　　
　よって、本願発明は、引用発明及び周知の技術に基づいて当業者が容易に発明をすることができたものである。  
 　　　　　  
５．むすび  
　以上のとおり、本願発明は、引用発明及び周知の技術に基づいて当業者が容易に発明をすることができたものであり、特許法第２９条第２項の規定により特許を受けることができないから、本願は拒絶されるべきものである。
　よって、結論のとおり審決する。